(57)【要約】　　　（修正有）【課題】内部に高速回転する冷却ファンを備えた電子装置であっても、その冷却作用を妨げることなく十分な低騒音化を図ることのできる電子装置収容ケースおよび電子装置を提供する。【解決手段】電子装置を覆うケース体１Ａと、ケース体１に設けられ電子装置１００から伸びるケーブル１０１〜１０４を隙間を開けずに挟み込むケーブル導出用扉１２と、ケース外からケース内に空気を導入する導入ダクト２０と、ケース内からケース外に空気を導出する導出ダクト３０と、空気の導入・導出作用を及ぼすファン３０Ａとを備えた。【選択図】　　　　図２
2004072057.tif 000002
【特許請求の範囲】
【請求項１】
ケーブルが外部に引き出される電子装置を覆って該電子装置から発せられる騒音を減衰させるケース体と、
上記ケース体に設けられ、開いた状態で上記ケーブルをケース内からケース外へ導出可能とし、閉じた状態で上記ケーブルを隙間を開けずに挟み込むケーブル導出用扉と、
ケース外からケース内に空気を導入する導入ダクトと、
ケース内からケース外に空気を導出する導出ダクトと、
上記導入ダクトまたは導出ダクトにおける空気の導入・導出作用を及ぼすファンとを備えていることを特徴とする電子装置収容ケース。
【請求項２】
第１のケーブルが外部に引き出される電子装置を覆って該電子装置から発せられる騒音を減衰させるケース体と、
上記ケース体の面に設けられ、ケース内側で上記第１のケーブルと電気的に接続され、ケース外側で第２のケーブルと電気的に接続されて上記第１のケーブルと第２のケーブルとを電気的に継続する継続手段（継続用コネクタや延長ケーブルなど）と、
ケース外からケース内に空気を導入する導入ダクトと、
ケース内からケース外に空気を導出する導出ダクトと、
上記導入ダクトまたは導出ダクトにおける空気の導入・導出作用を及ぼすファンとを備えていることを特徴とする電子装置収容ケース。
【請求項３】
上記導入ダクトおよび上記導出ダクトは、ケース外側の開口端からケース内側の開口端までの経路長、或いはダクトの経路に沿ってケース外側の開口端から上記ファンまでの長さの何れか短い方が５ｃｍ以上になるように形成されていることを特徴とする請求項１又は２に記載の電子装置収容ケース。
【請求項４】
上記ケース体に設けられ、開いた状態で上記電子装置に出し入れされる記憶媒体または該記憶媒体が載るトレーを上記ケース体の外側に排出可能とし、上記記憶媒体または上記トレーが電子装置に収まっている状態で上記ケース体に対して密閉状態に閉じることが可能な露出用扉が設けられていることを特徴とする請求項１〜３の何れかに記載の電子装置収容ケース。
【請求項５】
上記導入ダクトと上記導出ダクトの各開口部を除いて、上記ケース体の内部を密閉状態にすることが可能に構成されていることを特徴とする請求項１〜４の何れかに記載の電子装置収容ケース。
【請求項６】
上記導入ダクトと上記導出ダクトは、それぞれ上記ケース体の面に沿って設けられるとともに、ダクトの断面が上記ケース体の面に沿った方向に長く該面の直交方向に短い形状をし、且つ、ケース内側の開口部が上記ケース体の面とほぼ直交する向きに開口するように設けられ、
上記ファンは該ファンの回転軸がダクトの上記開口部が開口する向きとほぼ同一の向きになるように設置されていることを特徴とする請求項１〜５の何れかに記載の電子装置収容ケース。
【請求項７】
上記導入ダクトあるいは上記導出ダクトの経路中には、遮音用の板片が設けられていることを特徴とする請求項１〜６の何れかに記載の電子装置収容ケース。
【請求項８】
内部構成を覆って該内部構成から発せられる騒音を減衰させるケース体と、
ケース外からケース内に空気を導入する導入ダクトと、
ケース内からケース外に空気を導出する導出ダクトと、
上記導入ダクトまたは導出ダクトにおける空気の導入・導出作用を及ぼすファンとを備え、
上記ケース体は上記導入ダクトおよび導出ダクトの開口部を除いてケース内をほぼ密閉状態にすることが可能にされていることを特徴とする電子装置。
【請求項９】
上記導入ダクトおよび上記導出ダクトは、ケース外側の開口端からケース内側の開口端までの経路長、或いはダクトの経路に沿ったケース外側の開口端から上記ファンまでの長さの何れか短い方が５ｃｍ以上になるように形成されていることを特徴とする請求項８記載の電子機器。
【発明の詳細な説明】
【０００１】
【発明の属する技術分野】
この発明は、例えばパーソナルコンピュータなどの電子装置を覆って、その騒音を小さくする電子装置収容ケース、並びに、電子装置を静音化する技術に関する。
【０００２】
【従来の技術】
パーソナルコンピュータやデジタルＡＶ機器など、装置に内蔵されたＬＳＩの発熱を抑えるため冷却ファンを備える電子装置がある。近年、ＬＳＩの高速化に伴い強力な冷却ファンが使われるようになっており、その騒音が目立つようになってきている。また、そのような電子装置には、ハードディスク、ＣＤ−ＲＯＭドライブ、ＤＶＤドライブなど、動作音が大きなモジュールが搭載されるものも多い。
【０００３】
【発明が解決しようとする課題】
例えば、静かな部屋で電子装置を使用する場合など、電子装置が発する騒音は大変耳障りなものである。そこで、従来では、冷却ファンの回転数を小さくしたり、ハードディスクを金属の箱に密閉するなど、個人的な工夫により騒音を小さくすることが行われている。しかしながら、このような細工は、発熱を抑えるという目的に逆行するものであり、冷却と低騒音との両方を満足させるものではなかった。
【０００４】
この発明は、上記実情に鑑み、冷却と低騒音化の両方を満足させることのできる電子装置収容ケースおよび電子装置を提供することにある。
【０００５】
【課題を解決するための手段】
第１の発明は、ケーブルが外部に引き出される電子装置を覆って該電子装置から発せられる騒音を減衰させるケース体と、上記ケース体に設けられ、開いた状態で上記ケーブルをケース内からケース外へ導出可能とし、閉じた状態で上記ケーブルを隙間を開けずに挟み込むケーブル導出用扉と、ケース外からケース内に空気を導入する導入ダクトと、ケース内からケース外に空気を導出する導出ダクトと、上記導入ダクトまたは導出ダクトにおける空気の導入・導出作用を及ぼすファンとを備えている電子装置収容ケースである。
【０００６】
この発明によれば、電子装置を覆うケース体によりケース外に伝わる騒音が減衰されるほか、騒音が漏れやすいケーブルの引き出し部分はケーブル導出用扉により騒音の漏れを非常に少なく出来る。また、導入ダクトと導出ダクトとファンにより、外気導入を行うので、装置の周囲を外部と同様の温度に下げることが出来る。また、内部に通じる導入ダクトと導出ダクトは、その経路を所定長さ設けることで、ダクトを通って漏れる騒音を一定以下に抑えることが出来る。従って、電子装置が冷却のために強力なファン等を備えているような電子装置であっても、その冷却効果を妨げずに、騒音を低くすることが出来る。
【０００７】
なお、第１、第２、第８の発明において、ファンは、例えば導入ダクト或いは導出ダクトのケース内側の開口端の近傍或いはダクト経路中に設けることで空気の導入・導出作用を及ぼすことが出来る。
【０００８】
第２の発明は、第１のケーブルが外部に引き出される電子装置を覆って該電子装置から発せられる騒音を減衰させるケース体と、上記ケース体の面に設けられ、ケース内側で上記第１のケープルと電気的に接続され、ケース外側で第２のケーブルと電気的に接続されて上記第１のケーブルと第２のケーブルとを電気的に継続する継続手段（例えば、継続用コネクタや延長ケーブルなど）と、ケース外からケース内に空気を導入する導入ダクトと、ケース内からケース外に空気を導出する導出ダクトと、上記導入ダクトまたは導出ダクトにおける空気の導入・導出作用を及ぼすファンとを備えている電子装置収容ケースである。
【０００９】
この発明によれば、電子装置を覆うケース体によりケース外に伝わる騒音が減衰されるほか、騒音が漏れやすいケーブルの引き出し部分は上記継続手段により電気的な引き出しを行い、ケーブル自体の物理的な引き出しは行わないので騒音の漏れを非常に少なく出来る。また、導入ダクトと導出ダクトとファンにより、外気導入を行うので、装置の周囲を外部と同様の温度に下げることが出来る。また、内部に通じる導入ダクトと導出ダクトは、その経路を所定長さ設けることで、ダクトを通って漏れる騒音を一定以下に抑えることが出来る。従って、電子装置が冷却のために強力なファン等を備えているような電子装置であっても、その冷却効果を妨げずに、騒音を低くすることが出来る。
【００１０】
第３の発明は、第１又は第２の発明の電子装置収容ケース或いは第８の発明の電子装置において、導入ダクトおよび導出ダクトが、ケース外側の開口端からケース内側の開口端までの経路長、或いはダクトの経路に沿ってケース外側の開口端から上記ファンまでの長さの何れか短い方が５ｃｍ以上になるように形成されている構成とした。
【００１１】
この発明によれば、ダクトから漏れる騒音も低く抑えることが出来る。なお、ダクトの経路は例えば１０ｃｍ、１５〜２０ｃｍなど長いほど、また経路長が３ｃｍなど短くても経路が狭いほど消音効果が向上するが、その分、空気抵抗が増すので、両者の兼ね合いで長さや狭さを決めると良い。
【００１２】
第４の発明は、第１〜第３の何れかの発明の電子装置収容ケースにおいて、上記ケース体に設けられ、開いた状態で上記電子装置に出し入れされる記憶媒体（ＤＶＤディスクやフレキシブルディスクなど）または該記憶媒体が載るトレー（ＤＶＤディスクドライブのトレーなど）を上記ケース体の外側に排出可能とし、上記記憶媒体または上記トレーが電子装置に収まっている状態で上記ケース体に対して密閉状態に閉じることが可能な露出用扉を備えた構成とした。
【００１３】
この発明によれば、例えばコンピュータやゲーム機などの電子装置において取出し・取外し可能な記憶媒体を出し入れすることを可能とし、且つ、その個所からの騒音の漏れを非常に少なくすることが出来る。
【００１４】
第５の発明は、第１〜４の発明の何れかの電子装置収容ケースにおいて、上記導入ダクトと導出ダクトの開口部を除いて、上記ケース体の内部を密閉状態にすることが可能な構成とした。
【００１５】
この発明によれば、騒音の漏れを最小限にできる。なお、完全な密閉状態としなくても、針の穴のような小さな穴であれば、それほど騒音に影響を与えることはない。
【００１６】
第６の発明は、第１〜５発明の何れかに記載の電子装置収容ケースにおいて、上記導入ダクトと上記導出ダクトは、それぞれ上記ケース体の面に沿って設けられるとともに、ダクトの断面が上記ケース体の面に沿った方向に長く該面の直交方向に短い形状をし、且つ、ケース内側の開口部が上記ケース体の面とほぼ直交する向きに開口するように設けられ、上記ファンは該ファンの回転軸がダクトの上記開口部が開口する向きとほぼ同一の向きになるように設置されている構成とした。なお、ダクトの経路が長くなることでダクトがケース体の複数の面に沿って設けられる場合も含まれる。
【００１７】
この発明によれば、ファンの向きとダクト経路の向きとをほぼ直交配置となることで、直径の大きなファンを用いてもダクト経路を狭くすることが出来る。それにより、直径の大きなファンを用いてダクトからの外気導入量を大きくとり、且つ、ダクト経路は狭くしてダクトからの騒音の漏れを少なくすることが出来る。
【００１８】
第７の発明は、第１〜６の発明の何れかに記載の電子装置収容ケースにおいて、上記導入ダクトあるいは上記導出ダクトの経路中には、音波遮断用の板片が設けられている構成とした。
【００１９】
この発明によれば、上記板片により、ダクトからの騒音の漏れを非常に少なくすることが出来る。
【００２０】
第８の発明は、内部構成を覆って該内部構成から発せられる騒音を減衰させるケース体と、ケース外からケース内に空気を導入する導入ダクトと、ケース内からケース外に空気を導出する導出ダクトと、上記導入ダクトまたは導出ダクトにおける空気の導入・導出作用を及ぼすファンとを備え、上記ケース体は上記導入ダクトおよび導出ダクトの開口部を除いてケース内をほぼ密閉状態にすることが可能にされている電子装置である。
【００２１】
この発明によれば、ケース体とダクトにより低騒音を実現し、且つ、ダクトを介した外気導入により内部構成の冷却も十分に行うことが出来る。
【００２２】
【発明の実施の形態】
以下、この発明の実施の形態について図面を参照しながら説明する。
【００２３】
〔第１の実施の形態〕
図１は、本発明の第１の実施の形態の電子装置収容ケースの正面斜視図、図２は、その背面斜視図である。
【００２４】
この第１の実施の形態の電子装置収容ケース１は、所謂タワー型と呼ばれる縦長のＰＣ（パーソナルコンピュータ）１００を収容するものである。ＰＣ１００の背面には、電源ケーブル１０１、ビデオケーブル１０２、マウスやキーボードの接続ケーブル１０３，１０４などが接続され、また、ＰＣの前面には、ＣＤやＤＶＤなどのデータディスクを扱うディスクドライブ１１０のトレー引出し口１１０ａ、ＦＤＤ（フレキシブルディスクドライブ）１２０のディスク挿入口１２０ａならびに電源スイッチＳＷ１やリセットスイッチＳＷ２などが設けられている。
【００２５】
この電子装置収容ケース１は、上記ＰＣ１００の上下左右前方後方の全６面を覆う箱形状のケース体１Ａを主構成としたものである。ケース体１Ａの各面の材料はアクリル等の合成樹脂を用いている（図１，図２では透明アクリル）。なお、遮音性の高い部材や、金属など重量のある部材を用いることで遮音性をより向上させることも出来る。
【００２６】
収容ケース１の前面側には、ＰＣ１００のトレー引出し口１１０ａやディスク挿入口１２０ａを外部に露出させる露出用扉１１が設けられている。また、背面側には、ＰＣ１００の各種ケーブル１０１〜１０４を外部に導くためのケーブル導出用扉１２が設けられている。また、収容ケース１の内部には、外気導入を行う導入ダクト２０と、内部空気の排出とを行う導出ダクト３０とが設けられ、さらに、これら導入ダクト２０および導出ダクト３０の内部開口端２１，３１にはファン２０Ａ，３０Ａが取り付けられ、ＰＣ１００の電源を導いて回転するようになっている。
【００２７】
露出用扉１１は、蝶番１１ａにより回動して開閉され、留め金具１１ｂにより扉枠１１ｃに押圧した状態で閉めることが可能なものである。扉枠１１ｃの露出用扉１１が当接する面には弾性材が貼設され、露出用扉１１が閉まったときに弾性材が露出用扉１１に密接して隙間が生じないようにされる。
【００２８】
図３には、ケーブル導出用扉１２の一部拡大図を示す。同図（ａ）は扉が開いているところ、（ｂ）は扉が閉まっているところである。
【００２９】
ケーブル導出用扉１２は、蝶番１２ａにより回動して開閉され、図３に示すように扉の回動する側の端面１２ｂが扉枠１２ｃの一辺の面１２ｄと重なるようにして閉められる。この端面１２ｂと扉枠１２ｃの面１２ｄとの部分には、ケープル導出用扉１２と扉枠１２ｃとの両方にかかるように孔１２ｈ，１２ｈ…が設けられ、ケーブルはこの孔１２ｈ，１２ｈ…を通して外部に導出される。孔１２ｈ，１２ｈ…は、想定されるケーブルの太さに合わせた径にそれぞれ設けられる。使われないケーブルがある場合には、そのケーブルに対応する孔１２ｈには円柱形状の弾性体１２ｉを挟んで塞ぐ。孔１２ｈの中心はやや扉枠１２ｃ側に変位して設けられ、ケーブル導出用扉１２が開いている状態で、扉枠１２ｃ側に設けられた孔１２ｈにケーブルを半固定することが可能になっている。
【００３０】
扉枠１２ｃのケーブル導出用扉１２が当接する面には弾性材１２ｅが貼設され、ケーブル導出用扉１２が閉まったときに弾性材１２ｅがケーブル導出用扉１２に密接して隙間が生じないようにされる。なお、上記の露出用扉１１とケーブル導出用扉１２において、弾性材１２ｅを設けなくても、扉と扉枠との重なる部分の形状を整えることで両者間に隙間を生じることなく扉を閉じることが出来る。
【００３１】
図４には、導入ダクトの詳細図を示す。同図（ａ）はその平面図、（ｂ）はその矢印Ａ−Ａ線断面図、（ｃ）は矢印Ｂ−Ｂ線断面図である。
【００３２】
導入ダクト２０は、収容ケース１の内側面に沿った形で設けられ、その断面は収容ケース１の側面に沿った方向に広く、収容ケース１の側面に直行する高さ方向に低い形状をしている。ダクト経路の幅長Ｗはファン２０Ａの直径程度の長さである。ダクトの経路長は長くするほど、また、蛇行するように形成することで一段とケース内の騒音が外部に漏れないようにすることが出来る。また、ダクト経路の高さｈは低く形成することで騒音の漏れを少なくすることが出来るので、必要十分な送風が可能な範囲で低く長くダクトを形成すると良い。なお、導入ダクト２０の一側面２０ａを収容ケース１の側面により構成するようにしても良く、そうすることで、部品点数の削減、および、導入ダクト２０の薄型化を図ることが出来る。
【００３３】
導入ダクト２０内には、内側の開口端２１から外側の開口端２２まで空間が直線的につながらないように遮音用の多数の板片２５…が設けられている。これにより、空気は迂回して流れる一方、音波は直接的に外部に出ずに反射により減衰させることが出来る。
【００３４】
導入ダクト２０のケース内側の開口端２１は、図４（ａ），（ｃ）にも示されるように、収容ケース１の内側面２０ａと直交する向きに開口され、ファン２０Ａの径と同程度の開口径を有している。ファン２０Ａはこの開口端２１に振動防止用の干渉部材を介して取り付けられる。なお、ファン２０Ａを別の土台に取り付け、開口端２１に面するように配置しても良く、それによりファン２０Ａの振動防止を容易に図ることが出来る。ファン２０Ａは例えば直径１２０ｍｍなど大きめのもので、回転数が低く、静音設計のものを用いると良い。また、開口端２１やファン２０Ａを若干の角度を設けて形成および配置させたり、開口端２１を少し大きめに且つ長く形成して、その途中にファン２０Ａが配置されるように取り付けるようにしても良い。導入ダクト２０のケース外につながる開口端２２は収容ケース１の裏面側に配置される。
【００３５】
導出ダクト３０は、導入ダクト２０と逆の側面に沿って設けられ、且つ、ファン３０Ａとファン２０Ａの送風方向が逆なだけで、ほぼ同様の構成である。なお、導入ダクト２０と導出ダクト３０のケース外側の開口端を上下に位置をずらしたり、ケース内側の開口端の位置を上下、前後に位置をずらしても良い。また。ファン２０Ａ，３０Ａの何れかを省略することも出来る。
【００３６】
以上のように、この実施の形態の電子装置収容ケース１によれば、導入ダクト２０と導出ダクト３０の開口端２２，３２を除いて電子装置をほぼ密閉状態に覆うことで、電子装置から外部に出る騒音を非常に小さくすることが出来る。また、導入ダクト２０と導出ダクト３０による外気導入、内部空気の排出により、熱的に電子装置は外部に出ている状態と同じ状態にすることが出来、電子装置の冷却作用を低下させることがない。すなわち、電子装置の低騒音化と冷却との両方を満たすことが出来る。
【００３７】
［第２の実施の形態］
図５には、第２の実施の形態の電子装置収容ケース５０の裏面の構造を示す分離斜視図である。
【００３８】
第２の実施の形態の電子装置収容ケース５０は、第１の実施の形態の電子装置収容ケース１と電子装置のケーブルを外部に導く構造が異なるもので、他の構成は同一のものである。
【００３９】
この実施の形態の収容ケース５０の裏面には、電源ケーブル１０１、ビデオケーブル１０２、マウスやキーボードの接続ケーブル１０３，１０４などをそれぞれ継続する継続手段としての継続用コネクタ６１…が埋め込まれた継続用ベース板６０が設けられている。継続用ベース板６０は、収容ケース５０裏面のベース板枠５９から着脱可能に設けられ、ベース枠５９とベース板６０とは隙間無く密閉した状態に嵌合可能になっている。
【００４０】
このような継続用ベース板６０によれば、収容ケース５０内に置かれるＰＣのケーブル接続用ポートと継続用コネクタ６１の内面側の端子６１ａ…とを延長ケーブル（第１のケーブル）１０５等で接続する一方、継続用コネクタ６１の外面側の端子６１ｂ…に第２のケーブルとして電源ケーブル１０１、ビデオケーブル１０２、マウスやキーボードの接続ケーブル１０３，１０４などを接続することで、ＰＣ１００とケース外のケーブル１０１〜１０４とが電気的に接続されることとなる。
【００４１】
以上のような電子装置収容ケース５０によれば、電子装置の低騒音化と冷却との両方を満たすことが出来る。
【００４２】
［第３の実施の形態］
図６には、第３の実施の形態の電子装置の概要を示す背面斜視図である。
【００４３】
この実施の形態の電子装置７０は、例えばパーソナルコンピュータの本体であり、前面には図示略のディスクドライブのトレー引出し口やＦＤＤのディスク挿入口が設けられ、背面には電源ケーブル、ビデオケーブル、マウスやキーボードの接続ケーブル、又はＵＳＢケーブルなどを接続するコネクタ７１０…，７２０…が設けられている。
【００４４】
この電子装置７０においては、マウス、キーボードおよびＵＳＢ機器の接続コネクタ７１０…を有しＣＰＵやメモリおよび拡張ボード（ビデオカードなど）が搭載されるシステムボード（一般にマザーボードとも呼ばれる）、並びに、ディスクドライブやＦＤＤ、ビデオカードなどの拡張ボード、さらに、電源装置などは、一般的なパーソナルコンピュータの規格に従った大きさ形状およびネジ止め位置を有するものである。
【００４５】
但し、この実施の形態の電子装置７０では、システムボードの上記コネクタ７１０…のある部分７４０や拡張ボードの装置外に露出される金具部分７５０、ならびにディスクドライブの前面部分において、これらの部分を外部に露出させるケースの開口部の枠に弾性体等を介在させて外部に露出される部分に密着させることで、当該部分とケースの開口部の間に隙間が開かないように構成されている。なお、弾性体等を介在させなくても、外部に露出する部分にジャストフィットするような寸法および形状で各開口部の加工を行うことで隙間をなくすようにしても良い。
【００４６】
なお、ディスクドライブやの前面部分については、一般的なパーソナルコンピュータと同様に多少の隙間を気にせずに搭載される形式にする代わりに、第１の実施の形態で示した露出用扉１１と同様の構成を付加することで、この部分を密閉状態に閉ざすことを可能とし、この部分からの騒音の漏れをなくすようにすることも出来る。
【００４７】
また、同様に、電子装置７０の背面部分についても、一般的なパーソナルコンピュータと同様に隙間を気にせずにシステムボードのコネクタ部分や拡張ボードの金具部分が取り付けられる形式にする代わりに、第１の実施の形態で示したケーブル導出用扉１２と同様の構成を付加することで、この部分を密閉状態に閉ざすことを可能とし、この部分からの騒音の漏れをなくすようにすることも出来る。
【００４８】
この実施の形態の電子装置７０では、電源装置７５５がケース内に取り付けられ、外部に露出されないようになっている。電源装置７５５には冷却ファンや排気吸気用の孔が設けられているが、ともにケース内に配置され、ケース内の空気を送入送出するようになっている。電源ケーブル１０１は、第１の実施の形態のケーブル導出用扉１２と同様の構成の導出用扉７６０により外部に導出されるようになっている。なお、電源装置７５５のケーブルコネクタ７５５ａのある面に、空気を送入送出する孔が設けられていないものであれば、このコネクタのある面がケース外に露出するように取り付けられるようにしても良い。この場合、導出用扉７６０は省くことが出来る。
【００４９】
また、この電子装置７０には、第１の実施の形態で示した導入ダクト２０と導出ダクト３０並びにファン２０Ａ，３０Ａとが設けられており、これらにより、装置内への外気導入と排気とを行うようになっている。
【００５０】
以上のように、この実施の形態の電子装置７０によれば、導入ダクト２０と導出ダクトにより装置内の冷却作用を低下させず、且つ、各ダクト２０，３０の開口部以外は密閉状態にあるので、例えば。装置内の各部品を冷却するファン等の回転数が高くても、その音が外部に漏れるのを相当量抑えることが出来る。
【００５１】
なお、本発明の電子装置収容ケースは、上記第１，第２の実施の形態に限られるものではなく、発明の趣旨を逸脱しない範囲で様々な変更が可能である。例えば、収容ケースをダクトの開口部を除いて内部が密閉される構造としたが、例えばケースの厚みのある部分に少しの隙間や細穴が開いていても、遮音効果にはほとんど悪影響を与えない。その他、ケース体に電源スイッチやリセットスイッチを設けたり、ケース体内部の温度を測る温度計を設けても良い。
【００５２】
また、第３の実施の形態の電子装置においては、ケースの部材を遮音性の高い部材にしたり、ケースの側面を２重にするなどケース自体の遮音性を高めて、更なる静音効果を高めるようにしても良い。
【００５３】
また、上記実施の形態の電子装置収容ケース並びに電子装置では、ダクトの経路とファンの回転軸とがほぼ直交配置される構成し、ダクトを薄型にしたが、ダクトの穴径を大きくしてダクト経路とファンの回転軸がほぼ直線状に配置されるように構成しても良い。その場合、ダクト内に消音材を挿入して更なる遮音性を図ることもできる。
【００５４】
【発明の効果】
本発明の電子装置収容ケースによれば、内部に収容する電子装置が冷却のために強力なファン等を備えているものであっても、その冷却効果を妨げずに、外部に漏れる騒音を低くすることが出来る。
【００５５】
また、本発明の電子装置によれば、内部に電子部品を冷却するための強力なファン等を備えている場合でも、その冷却効果を妨げずに、外部に漏れる騒音を低くすることが出来る。
【図面の簡単な説明】
【図１】本発明の第１の実施の形態の電子装置収容ケースを示す正面斜視図である。
【図２】同、電子装置収容ケースの背面斜視図である。
【図３】図２のケーブル導出用扉の一部拡大図で、（ａ）は扉が開いているところ、（ｂ）は扉が閉まっているところである。
【図４】図１の導入ダクトを示す詳細図で、（ａ）はその平面図、（ｂ）はその矢印Ａ−Ａ線断面図、（ｃ）は矢印Ｂ−Ｂ線断面図である。
【図５】本発明の第２の実施の形態の電子装置収容ケースの裏面の構造を示す分離斜視図である。
【図６】本発明の第３の実施の形態の電子装置の概略構成を示す背面斜視図である。
【符号の説明】
１　　　収容ケース
１１　　露出用扉
１２　　ケーブル導出用扉
２０　　導入ダクト
２０Ａ　ファン
３０　　導出ダクト
３０Ａ　ファン
５０　　収容ケース
６１　　継続用コネクタ
７０　　電子装置
【図１】
2004072057.tif 000003
【図２】
2004072057.tif 000004
【図３】
2004072057.tif 000005
【図４】
2004072057.tif 000006
【図５】
2004072057.tif 000007
【図６】
2004072057.tif 000008